(57)【要約】【課題】起歪体の曲面に容易に貼り付けることが可能なひずみゲージを提供する。【解決手段】本ひずみゲージは、可撓性を有する基材と、前記基材上に、クロムとニッケルの少なくとも一方を含む材料から形成された抵抗体と、を有し、所定方向に切った縦断面視において、前記抵抗体側が凸になるように湾曲しており、前記所定方向に垂直な方向に切った縦断面視において、湾曲していない。【選択図】図２
2020106323.tif 000002
【特許請求の範囲】
【請求項１】
可撓性を有する基材と、
前記基材上に、クロムとニッケルの少なくとも一方を含む材料から形成された抵抗体と、を有し、
所定方向に切った縦断面視において、前記抵抗体側が凸になるように湾曲しており、前記所定方向に垂直な方向に切った縦断面視において、湾曲していないひずみゲージ。
【請求項２】
前記基材の前記抵抗体が形成された側の面とは反対側の面は、前記所定方向に切った縦断面視において、円弧状である請求項１に記載のひずみゲージ。
【請求項３】
前記抵抗体は、アルファクロムを主成分とする請求項１又は２に記載のひずみゲージ。
【請求項４】
前記抵抗体は、アルファクロムを８０重量％以上含む請求項３に記載のひずみゲージ。
【請求項５】
前記抵抗体は、窒化クロムを含む請求項３又は４に記載のひずみゲージ。
【請求項６】
前記基材は、ポリイミド樹脂から形成されている請求項１乃至５の何れか一項に記載のひずみゲージ。
【請求項７】
前記基材の一方の面に、金属、合金、又は、金属の化合物から形成された機能層を有し、
前記抵抗体は、前記機能層の一方の面に形成されている請求項１乃至６の何れか一項に記載のひずみゲージ。
【請求項８】
前記機能層は、前記抵抗体の結晶成長を促進する機能を有する請求項７に記載のひずみゲージ。
【請求項９】
前記抵抗体を被覆する絶縁樹脂層を有する請求項１乃至８の何れか一項に記載のひずみゲージ。
【請求項１０】
前記基材と前記絶縁樹脂層とが同一材料により形成され、前記絶縁樹脂層の厚さが前記基材の厚さよりも薄い請求項９に記載のひずみゲージ。
【発明の詳細な説明】
【技術分野】
【０００１】
本発明は、ひずみゲージに関する。
【背景技術】
【０００２】
測定対象物に貼り付けて、測定対象物のひずみを検出するひずみゲージが知られている。ひずみゲージは、ひずみを検出する抵抗体を備えており、抵抗体の材料としては、例えば、Ｃｒ（クロム）やＮｉ（ニッケル）を含む材料が用いられている。又、抵抗体は、例えば、絶縁樹脂からなる基材上に形成されている（例えば、特許文献１参照）。
【先行技術文献】
【特許文献】
【０００３】
【特許文献１】特開２０１６−７４９３４号公報
【発明の概要】
【発明が解決しようとする課題】
【０００４】
ひずみゲージは起歪体に貼り付けて使用されるが、ひずみゲージを貼り付ける起歪体の面が曲面である場合、ひずみゲージを貼り付けることが困難であった。そのため、起歪体の曲面を機械加工して平坦面を形成し、平坦面にひずみゲージを貼り付けていた。
【０００５】
本発明は、上記の点に鑑みてなされたもので、起歪体の曲面に容易に貼り付けることが可能なひずみゲージを提供することを目的とする。
【課題を解決するための手段】
【０００６】
本ひずみゲージは、可撓性を有する基材と、前記基材上に、クロムとニッケルの少なくとも一方を含む材料から形成された抵抗体と、を有し、所定方向に切った縦断面視において、前記抵抗体側が凸になるように湾曲しており、前記所定方向に垂直な方向に切った縦断面視において、湾曲していない。
【発明の効果】
【０００７】
開示の技術によれば、起歪体の曲面に容易に貼り付けることが可能なひずみゲージを提供できる。
【図面の簡単な説明】
【０００８】
【図１】第１の実施の形態に係るひずみゲージを例示する平面図である。
【図２】第１の実施の形態に係るひずみゲージを例示する断面図（その１）である。
【図３】第１の実施の形態に係るひずみゲージを例示する断面図（その２）である。
【図４】基材の下面の曲率半径と矢高と弧長と中心角との関係について説明する図である。
【図５】ひずみゲージの起歪体への貼り付けについて説明する図である。
【発明を実施するための形態】
【０００９】
以下、図面を参照して発明を実施するための形態について説明する。各図面において、同一構成部分には同一符号を付し、重複した説明を省略する場合がある。
【００１０】
〈第１の実施の形態〉
図１は、第１の実施の形態に係るひずみゲージを例示する平面図である。図２は、第１の実施の形態に係るひずみゲージを例示する断面図（その１）であり、図１のＡ−Ａ線に沿う断面を示している。図３は、第１の実施の形態に係るひずみゲージを例示する断面図（その２）であり、図１のＢ−Ｂ線に沿う断面を示している。図１〜図３を参照するに、ひずみゲージ１は、基材１０と、抵抗体３０と、端子部４１とを有している。
【００１１】
なお、本実施の形態では、便宜上、ひずみゲージ１において、基材１０の抵抗体３０が設けられている側を上側又は一方の側、抵抗体３０が設けられていない側を下側又は他方の側とする。又、各部位の抵抗体３０が設けられている側の面を一方の面又は上面、抵抗体３０が設けられていない側の面を他方の面又は下面とする。但し、ひずみゲージ１は天地逆の状態で用いることができ、又は任意の角度で配置することができる。又、平面視とは対象物を基材１０の上面１０ａの法線方向から視ることを指し、平面形状とは対象物を基材１０の上面１０ａの法線方向から視た形状を指すものとする。
【００１２】
基材１０は、抵抗体３０等を形成するためのベース層となる部材であり、可撓性を有する。基材１０の厚さは、特に制限はなく、目的に応じて適宜選択できるが、例えば、５μｍ〜５００μｍ程度とすることができる。特に、基材１０の厚さが５μｍ〜２００μｍであると、接着層等を介して基材１０の下面に接合される起歪体表面からの歪の伝達性、環境に対する寸法安定性の点で好ましく、１０μｍ以上であると絶縁性の点で更に好ましい。
【００１３】
基材１０は、例えば、ＰＩ（ポリイミド）樹脂、エポキシ樹脂、ＰＥＥＫ（ポリエーテルエーテルケトン）樹脂、ＰＥＮ（ポリエチレンナフタレート）樹脂、ＰＥＴ（ポリエチレンテレフタレート）樹脂、ＰＰＳ（ポリフェニレンサルファイド）樹脂、ポリオレフィン樹脂等の絶縁樹脂フィルムから形成することができる。なお、フィルムとは、厚さが５００μｍ以下程度であり、可撓性を有する部材を指す。
【００１４】
ここで、『絶縁樹脂フィルムから形成する』とは、基材１０が絶縁樹脂フィルム中にフィラーや不純物等を含有することを妨げるものではない。基材１０は、例えば、シリカやアルミナ等のフィラーを含有する絶縁樹脂フィルムから形成しても構わない。
【００１５】
抵抗体３０は、基材１０上に所定のパターンで形成された薄膜であり、ひずみを受けて抵抗変化を生じる受感部である。抵抗体３０は、基材１０の上面１０ａに直接形成されてもよいし、基材１０の上面１０ａに他の層を介して形成されてもよい。なお、図１では、便宜上、抵抗体３０を梨地模様で示している。
【００１６】
抵抗体３０は、例えば、Ｃｒ（クロム）を含む材料、Ｎｉ（ニッケル）を含む材料、又はＣｒとＮｉの両方を含む材料から形成することができる。すなわち、抵抗体３０は、ＣｒとＮｉの少なくとも一方を含む材料から形成することができる。Ｃｒを含む材料としては、例えば、Ｃｒ混相膜が挙げられる。Ｎｉを含む材料としては、例えば、Ｃｕ−Ｎｉ（銅ニッケル）が挙げられる。ＣｒとＮｉの両方を含む材料としては、例えば、Ｎｉ−Ｃｒ（ニッケルクロム）が挙げられる。
【００１７】
ここで、Ｃｒ混相膜とは、Ｃｒ、ＣｒＮ、Ｃｒ２Ｎ等が混相した膜である。Ｃｒ混相膜は、酸化クロム等の不可避不純物を含んでもよい。
【００１８】
抵抗体３０の厚さは、特に制限はなく、目的に応じて適宜選択できるが、例えば、０．０５μｍ〜２μｍ程度とすることができる。特に、抵抗体３０の厚さが０．１μｍ以上であると、抵抗体３０を構成する結晶の結晶性（例えば、α−Ｃｒの結晶性）が向上する点で好ましい。又、抵抗体３０の厚さが１μｍ以下であると、抵抗体３０を構成する膜の内部応力に起因する膜のクラックや基材１０からの反りを低減できる点で更に好ましい。抵抗体３０の幅は、特に制限はなく、目的に応じて適宜選択できるが、例えば、０．１μｍ〜１０００μｍ（１ｍｍ）程度とすることができる。
【００１９】
例えば、抵抗体３０がＣｒ混相膜である場合、安定な結晶相であるα−Ｃｒ（アルファクロム）を主成分とすることで、ゲージ特性の安定性を向上することができる。又、抵抗体３０がα−Ｃｒを主成分とすることで、ひずみゲージ１のゲージ率を１０以上、かつゲージ率温度係数ＴＣＳ及び抵抗温度係数ＴＣＲを−１０００ｐｐｍ／℃〜＋１０００ｐｐｍ／℃の範囲内とすることができる。ここで、主成分とは、対象物質が抵抗体を構成する全物質の５０質量％以上を占めることを意味するが、ゲージ特性を向上する観点から、抵抗体３０はα−Ｃｒを８０重量％以上含むことが好ましい。なお、α−Ｃｒは、ｂｃｃ構造（体心立方格子構造）のＣｒである。
【００２０】
端子部４１は、抵抗体３０の両端部から延在しており、平面視において、抵抗体３０よりも拡幅して略矩形状に形成されている。端子部４１は、ひずみにより生じる抵抗体３０の抵抗値の変化を外部に出力するための一対の電極であり、例えば、外部接続用のリード線等が接合される。抵抗体３０は、例えば、端子部４１の一方からジグザグに折り返しながら延在して他方の端子部４１に接続されている。端子部４１の上面を、端子部４１よりもはんだ付け性が良好な金属で被覆してもよい。なお、抵抗体３０と端子部４１とは便宜上別符号としているが、両者は同一工程において同一材料により一体に形成することができる。
【００２１】
抵抗体３０を被覆し端子部４１を露出するように基材１０の上面１０ａにカバー層６０（絶縁樹脂層）を設けても構わない。カバー層６０を設けることで、抵抗体３０に機械的な損傷等が生じることを防止できる。又、カバー層６０を設けることで、抵抗体３０を湿気等から保護することができる。なお、カバー層６０は、端子部４１を除く部分の全体を覆うように設けてもよい。
【００２２】
カバー層６０は、例えば、ＰＩ樹脂、エポキシ樹脂、ＰＥＥＫ樹脂、ＰＥＮ樹脂、ＰＥＴ樹脂、ＰＰＳ樹脂、複合樹脂（例えば、シリコーン樹脂、ポリオレフィン樹脂）等の絶縁樹脂から形成することができる。カバー層６０は、フィラーや顔料を含有しても構わない。カバー層６０の厚さは、特に制限はなく、目的に応じて適宜選択できるが、例えば、２μｍ〜３０μｍ程度とすることができる。
【００２３】
図２に示すように、抵抗体３０のグリッド方向（図１のＡ−Ａ線の方向）に切った縦断面視において、ひずみゲージ１は、抵抗体３０側が凸になるように湾曲している。又、図３に示すように、抵抗体３０のグリッド方向と垂直な方向（図１のＢ−Ｂ線の方向）に切った縦断面視において、ひずみゲージ１は湾曲していない。
【００２４】
基材１０の下面１０ｂは、例えば、グリッド方向（図１のＡ−Ａ線の方向）に切った縦断面視において、曲率半径Ｒの円弧状である。ここで、円弧状とは、厳密な円弧状でなくともよく、例えば、細部が変形していても実質的に円弧状であればよい。
【００２５】
図４は、基材の下面の曲率半径と矢高と弧長と中心角との関係について説明する図である。図４において、Ｒは曲率半径、ｈは矢高、Ｌは弧長、θは中心角である。
【００２６】
矢高ｈ及び弧長Ｌは、式（１）及び式（２）で示すことができる。又、式（１）及び式（２）から式（３）を求めることができ、変形すると式（４）が得られる。
【００２７】
【数１】
2020106323.tif 000003
【００２８】
【数２】
2020106323.tif 000004
【００２９】
【数３】
2020106323.tif 000005
【００３０】
【数４】
2020106323.tif 000006
ここで、基材１０の下面１０ｂの曲率半径Ｒが、ひずみゲージ１を貼り付ける起歪体の曲面の曲率半径と等しいとすると、弧長Ｌは曲率半径Ｒに対して十分に小さいと考えられる。そのため、ｆ（ｘ）＝ｃｏｓ（ｘ）、ｘ＝Ｌ／２Ｒにおいて、ｆ（ｘ）をマクローリン展開すると、式（５）のように近似することができ、式（６）が得られる。ここで、式（６）＝式（４）であるから、式（７）が得られ、式（７）を変形すると式（８）が得られる。
【００３１】
【数５】
2020106323.tif 000007
【００３２】
【数６】
2020106323.tif 000008
【００３３】
【数７】
2020106323.tif 000009
【００３４】
【数８】
2020106323.tif 000010
式（８）より、曲率半径Ｒは、矢高ｈと弧長Ｌとから求めることができる。言い換えれば、弧長Ｌが既知、かつ、ひずみゲージ１を貼り付ける起歪体の曲面の曲率半径Ｒｓが既知であれば、基材１０の反りを制御して矢高ｈを調整することで、基材１０の下面１０ｂの曲率半径Ｒを起歪体の曲面の曲率半径Ｒｓと等しくすることができる。
【００３５】
図５は、ひずみゲージの起歪体への貼り付けについて説明する図である。図５（ａ）に示すように、従来のひずみゲージ１Ｘは、反りがないように作製されていた。そのため、ひずみゲージ１Ｘは、図５（ｂ）のような起歪体５００の曲面５００ａ（例えば、円柱の側面）に貼り付けることが困難である。そこで、図５（ｃ）に示すように、起歪体５００の曲面５００ａを機械加工して平坦面５００ｂを形成し、平坦面５００ｂにひずみゲージ１Ｘを貼り付けていた。
【００３６】
これに対して、前述のように、ひずみゲージ１は、基材１０の反りを制御して矢高ｈを調整することで、基材１０の下面１０ｂの曲率半径Ｒを起歪体５００の曲面５００ａの曲率半径と等しくすることができる。そのため、図５（ｄ）に示すように、起歪体５００の曲面５００ａを機械加工することなく、曲面５００ａにひずみゲージ１を貼り付けることができる。その結果、起歪体５００の曲面５００ａを機械加工するコストを削減できる。
【００３７】
なお、従来のひずみゲージは反りがないように作製されるが、製造条件のばらつき等により意図しない反りが生じる場合がある。この場合、ひずみゲージが湾曲し、起歪体に貼り付ける面の曲率半径は１０ｍｍ〜１００ｍｍ程度となる。これとは異なり、ひずみゲージ１は、起歪体の曲面への貼り付けを容易にするために、意図的に反らせたものである。ひずみゲージ１を貼り付ける起歪体の曲面の曲率半径は一般に０．５ｍｍ〜１０ｍｍ程度であるから、基材１０の下面１０ｂの曲率半径Ｒも０．５ｍｍ〜１０ｍｍ程度となり、従来のひずみゲージにおいて意図しない反りが生じる場合の曲率半径とは範囲が異なる。
【００３８】
ひずみゲージ１を製造するためには、まず、基材１０を準備し、基材１０の上面１０ａに図１に示す平面形状の抵抗体３０及び端子部４１を形成する。抵抗体３０及び端子部４１の材料や厚さは、前述の通りである。抵抗体３０と端子部４１とは、同一材料により一体に形成することができる。
【００３９】
抵抗体３０及び端子部４１は、例えば、抵抗体３０及び端子部４１を形成可能な原料をターゲットとしたマグネトロンスパッタ法により成膜し、フォトリソグラフィによってパターニングすることで形成できる。抵抗体３０及び端子部４１は、マグネトロンスパッタ法に代えて、反応性スパッタ法や蒸着法、アークイオンプレーティング法、パルスレーザー堆積法等を用いて成膜してもよい。
【００４０】
ゲージ特性を安定化する観点から、抵抗体３０及び端子部４１を成膜する前に、下地層として、基材１０の上面１０ａに、例えば、コンベンショナルスパッタ法により膜厚が１ｎｍ〜１００ｎｍ程度の機能層を真空成膜することが好ましい。なお、機能層は、機能層の上面全体に抵抗体３０及び端子部４１を形成後、フォトリソグラフィによって抵抗体３０及び端子部４１と共に図１に示す平面形状にパターニングされる。
【００４１】
本願において、機能層とは、少なくとも上層である抵抗体３０の結晶成長を促進する機能を有する層を指す。機能層は、更に、基材１０に含まれる酸素や水分による抵抗体３０の酸化を防止する機能や、基材１０と抵抗体３０との密着性を向上する機能を備えていることが好ましい。機能層は、更に、他の機能を備えていてもよい。
【００４２】
基材１０を構成する絶縁樹脂フィルムは酸素や水分を含むため、特に抵抗体３０がＣｒを含む場合、Ｃｒは自己酸化膜を形成するため、機能層が抵抗体３０の酸化を防止する機能を備えることは有効である。
【００４３】
機能層の材料は、少なくとも上層である抵抗体３０の結晶成長を促進する機能を有する材料であれば、特に制限はなく、目的に応じて適宜選択できるが、例えば、Ｃｒ（クロム）、Ｔｉ（チタン）、Ｖ（バナジウム）、Ｎｂ（ニオブ）、Ｔａ（タンタル）、Ｎｉ（ニッケル）、Ｙ（イットリウム）、Ｚｒ（ジルコニウム）、Ｈｆ（ハフニウム）、Ｓｉ（シリコン）、Ｃ（炭素）、Ｚｎ（亜鉛）、Ｃｕ（銅）、Ｂｉ（ビスマス）、Ｆｅ（鉄）、Ｍｏ（モリブデン）、Ｗ（タングステン）、Ｒｕ（ルテニウム）、Ｒｈ（ロジウム）、Ｒｅ（レニウム）、Ｏｓ（オスミウム）、Ｉｒ（イリジウム）、Ｐｔ（白金）、Ｐｄ（パラジウム）、Ａｇ（銀）、Ａｕ（金）、Ｃｏ（コバルト）、Ｍｎ（マンガン）、Ａｌ（アルミニウム）からなる群から選択される１種又は複数種の金属、この群の何れかの金属の合金、又は、この群の何れかの金属の化合物が挙げられる。
【００４４】
上記の合金としては、例えば、ＦｅＣｒ、ＴｉＡｌ、ＦｅＮｉ、ＮｉＣｒ、ＣｒＣｕ等が挙げられる。又、上記の化合物としては、例えば、ＴｉＮ、ＴａＮ、Ｓｉ３Ｎ４、ＴｉＯ２、Ｔａ２Ｏ５、ＳｉＯ２等が挙げられる。
【００４５】
機能層は、例えば、機能層を形成可能な原料をターゲットとし、チャンバ内にＡｒ（アルゴン）ガスを導入したコンベンショナルスパッタ法により真空成膜することができる。コンベンショナルスパッタ法を用いることにより、基材１０の上面１０ａをＡｒでエッチングしながら機能層が成膜されるため、機能層の成膜量を最小限にして密着性改善効果を得ることができる。
【００４６】
但し、これは、機能層の成膜方法の一例であり、他の方法により機能層を成膜してもよい。例えば、機能層の成膜の前にＡｒ等を用いたプラズマ処理等により基材１０の上面１０ａを活性化することで密着性改善効果を獲得し、その後マグネトロンスパッタ法により機能層を真空成膜する方法を用いてもよい。
【００４７】
機能層の材料と抵抗体３０及び端子部４１の材料との組み合わせは、特に制限はなく、目的に応じて適宜選択できる。例えば、機能層としてＴｉを用い、抵抗体３０及び端子部４１としてα−Ｃｒ（アルファクロム）を主成分とするＣｒ混相膜を成膜することが可能である。
【００４８】
この場合、例えば、Ｃｒ混相膜を形成可能な原料をターゲットとし、チャンバ内にＡｒガスを導入したマグネトロンスパッタ法により、抵抗体３０及び端子部４１を成膜することができる。或いは、純Ｃｒをターゲットとし、チャンバ内にＡｒガスと共に適量の窒素ガスを導入し、反応性スパッタ法により、抵抗体３０及び端子部４１を成膜してもよい。
【００４９】
これらの方法では、Ｔｉからなる機能層がきっかけでＣｒ混相膜の成長面が規定され、安定な結晶構造であるα−Ｃｒを主成分とするＣｒ混相膜を成膜できる。又、機能層を構成するＴｉがＣｒ混相膜中に拡散することにより、ゲージ特性が向上する。例えば、ひずみゲージ１のゲージ率を１０以上、かつゲージ率温度係数ＴＣＳ及び抵抗温度係数ＴＣＲを−１０００ｐｐｍ／℃〜＋１０００ｐｐｍ／℃の範囲内とすることができる。なお、機能層がＴｉから形成されている場合、Ｃｒ混相膜にＴｉやＴｉＮ（窒化チタン）が含まれる場合がある。
【００５０】
なお、抵抗体３０がＣｒ混相膜である場合、Ｔｉからなる機能層は、抵抗体３０の結晶成長を促進する機能、基材１０に含まれる酸素や水分による抵抗体３０の酸化を防止する機能、及び基材１０と抵抗体３０との密着性を向上する機能の全てを備えている。機能層として、Ｔｉに代えてＴａ、Ｓｉ、Ａｌ、Ｆｅを用いた場合も同様である。
【００５１】
このように、抵抗体３０の下層に機能層を設けることにより、抵抗体３０の結晶成長を促進することが可能となり、安定な結晶相からなる抵抗体３０を作製できる。その結果、ひずみゲージ１において、ゲージ特性の安定性を向上することができる。又、機能層を構成する材料が抵抗体３０に拡散することにより、ひずみゲージ１において、ゲージ特性を向上することができる。
【００５２】
抵抗体３０及び端子部４１を形成後、必要に応じ、基材１０の上面１０ａに、抵抗体３０を被覆し端子部４１を露出するカバー層６０を設けることで、ひずみゲージ１が完成する。カバー層６０は、例えば、基材１０の上面１０ａに、抵抗体３０を被覆し端子部４１を露出するように半硬化状態の熱硬化性の絶縁樹脂フィルムをラミネートし、加熱して硬化させて作製することができる。カバー層６０は、基材１０の上面１０ａに、抵抗体３０を被覆し端子部４１を露出するように液状又はペースト状の熱硬化性の絶縁樹脂を塗布し、加熱して硬化させて作製してもよい。
【００５３】
ひずみゲージ１において、基材１０を抵抗体３０側が凸になるように反らせて矢高ｈを所望の値にするためには、例えば、基材１０の膨張係数を調整すればよい。抵抗体３０の内部応力が大きいと基材１０に反りが生じるが、抵抗体３０の内部応力は、基材１０の膨張係数により変わる。すなわち、基材１０の膨張係数を調整することで、基材１０の反りを制御して矢高ｈを調整し、所望の曲率半径Ｒを得ることができる。
【００５４】
基材１０の膨張係数は、例えば、基材１０の材料の選定、基材１０に含有されるフィラーの材料の選定及び含有量の調整等を行うことにより、調整することができる。
【００５５】
又、ひずみゲージ１において、基材１０を抵抗体３０側が凸になるように反らせて矢高ｈを所望の値にするために、基材１０の厚さを調整してもよい。又、基材１０を抵抗体３０側が凸になるように反らせて矢高ｈを所望の値にするために、抵抗体３０の成膜条件を調整してもよい。
【００５６】
又、ひずみゲージ１がカバー層６０を有する場合には、基材１０の厚さ及びカバー層６０の厚さを調整してもよい。例えば、基材１０とカバー層６０が同一材料により形成されている場合には、カバー層６０の厚さを基材１０の厚さよりも薄い所定値に調整することで、基材１０を抵抗体３０側が凸になるように反らせて矢高ｈを所望の値にすることができる。
【００５７】
このように、抵抗体３０のグリッド方向（図１のＡ−Ａ線の方向）に切った縦断面視において、ひずみゲージ１は、抵抗体３０側が凸になるように湾曲している。又、基材１０の下面１０ｂの曲率半径Ｒは所望の値に調整可能である。基材１０の下面１０ｂの曲率半径Ｒを、ひずみゲージ１を貼り付ける起歪体の曲面の曲率半径と略等しくすることで、起歪体の曲面を平坦面に加工することなく、起歪体の曲面にひずみゲージ１を容易に貼り付けることができる。
【００５８】
以上、好ましい実施の形態等について詳説したが、上述した実施の形態等に制限されることはなく、特許請求の範囲に記載された範囲を逸脱することなく、上述した実施の形態等に種々の変形及び置換を加えることができる。
【００５９】
例えば、ひずみゲージ１において、抵抗体３０のグリッド方向に切った縦断面視において基材１０が湾曲せず、抵抗体３０のグリッド方向と垂直な方向に切った縦断面視において基材１０が抵抗体３０側が凸になるように湾曲する構造とすることも可能である。基材１０が何れの方向に切った縦断面視において凸になるかは、例えば、抵抗体３０の成膜条件を調整することで選択できる。
【符号の説明】
【００６０】
１  ひずみゲージ、１０  基材、１０ａ  上面、１０ｂ  下面、３０  抵抗体、４１  端子部、６０  カバー層
【図１】
2020106323.tif 000011
【図２】
2020106323.tif 000012
【図３】
2020106323.tif 000013
【図４】
2020106323.tif 000014
【図５】
2020106323.tif 000015